(57)【要約】  特殊操作チャンネルで送信された信号が、回線の識別子によって変更される方法および装置が提供される。
2016523057.tif 000002
【特許請求の範囲】
【請求項１】
プロバイダー装置に関連付けられた各回線へ識別子を割り当てることと、
上記識別子によって変更される特殊操作チャンネル（ＳＯＣ）信号を少なくとも一つの上記回線を通じて伝送することとを含む方法。
【請求項２】
上記識別子は識別多項式を含む請求項１に記載の方法。
【請求項３】
上記変更は、上記ＳＯＣ信号と上記識別多項式とを掛け合わせること、および、上記ＳＯＣと上記識別多項式とを併合することの少なくとも一方を含む請求項２に記載の方法。
【請求項４】
上記変更は、制御または管理データメッセージにより上記ＳＯＣ信号を変調する前に実行される請求項１から３のいずれか１項に記載の方法。
【請求項５】
上記識別子はウォルシュ‐アダマールシーケンスに基づく請求項１から４のいずれか一項に記載の方法。
【請求項６】
上記識別子は三状態シーケンスに基づく請求項１から４のいずれか一項に記載の方法。
【請求項７】
受信機において、上記識別子に基づいて、ダイレクトチャンネルを経由して受信したＳＯＣ信号と、クロストークで受信したＳＯＣ信号とを区別することをさらに含む請求項１から６のいずれか一項に記載の方法。
【請求項８】
上記ダイレクトチャンネルを経由して受信した上記ＳＯＣ信号に基づいてベクトルトレーニングを行うことをさらに含む請求項７に記載の方法。
【請求項９】
上記ダイレクトチャンネルを経由して受信した上記ＳＯＣ信号に基づいて周波数イコライザトレーニングを行うことをさらに含む請求項７または８に記載の方法。
【請求項１０】
直交シーケンスでトレーニング符号を変調することをさらに含み、
上記トレーニング符号に基づいてトレーニングを実行する請求項１から９のいずれか一項に記載の方法。
【請求項１１】
プロバイダー装置に関連付けられた回線の各々に割り当てられた識別子によって変更される特殊操作チャンネル（ＳＯＣ）信号を、上記回線の少なくとも一つを通じて送信する伝送装置を含む装置。
【請求項１２】
上記識別子は識別多項式である請求項１１に記載の装置。
【請求項１３】
上記伝送装置は、上記変更のために、上記ＳＯＣ信号と上記識別多項式とを掛け合わせること、および、上記ＳＯＣと上記識別多項式とを併合することの少なくとも一方を実行する請求項１１または１２に記載の装置。
【請求項１４】
上記伝送装置は、制御または管理データメッセージによって上記ＳＯＣを変調する前に上記変更を行うように適応されている請求項１１から１３のいずれか一項に記載の装置。
【請求項１５】
上記識別子はウォルシュ‐アダマールシーケンスに基づく請求項１１から１４のいずれか一項に記載の装置。
【請求項１６】
上記識別子は三状態シーケンスに基づく請求項１１から１４のいずれか一項に記載の装置。
【請求項１７】
さらに、直交シーケンスでトレーニング符号を変調する請求項１１から１６のいずれか一項に記載の装置。
【請求項１８】
請求項１１から１７のいずれか一項に記載の上記装置と、
上記識別子に基づいて、ダイレクトチャンネルを経由して受信したＳＯＣ信号と、クロストークで受信したＳＯＣ信号とを区別する受信機を含むさらなる装置とを含むシステム。
【請求項１９】
さらに、上記ダイレクトチャンネルを経由して受信した上記ＳＯＣ信号に基づいて、ベクトルトレーニングを行う請求項１８に記載のシステム。
【請求項２０】
さらに、上記ダイレクトチャンネルを経由して受信された上記ＳＯＣ信号に基づいて、周波数イコライザトレーニングを行う請求項１８または１９に記載のシステム。
【請求項２１】
受信機を含む装置であって、
上記受信機は、プロバイダー装置に関連付けられた回線の各々に割り当てられた識別子によって変更される特殊操作チャンネル（ＳＯＣ）信号を、上記回線の少なくとも一つを通じて受信し、
上記識別子に基づいて、ダイレクトチャンネルを経由して受信したＳＯＣ信号と、クロストークで受信したＳＯＣ符号とを区別するように適応されている装置。
【請求項２２】
上記識別子は識別多項式である請求項２１に記載の装置。
【請求項２３】
上記識別子はウォルシュ‐アダマールシーケンスに基づく請求項２１または２２に記載の装置。
【請求項２４】
上記識別子は三状態シーケンスに基づく請求項２１または２２に記載の装置。
【請求項２５】
さらに、上記ダイレクトチャンネルを経由して受信した上記ＳＯＣ信号に基づいてベクトルトレーニングを行う請求項２１から２４のいずれか一項に記載の装置。
【請求項２６】
上記ダイレクトチャンネルを経由して受信した上記ＳＯＣ信号に基づいて周波数イコライザトレーニングを行う請求項２１から２５のいずれか一項に記載の装置。
【請求項２７】
プロバイダー装置および少なくとも一つの顧客構内装置を含むシステムであって、
上記プロバイダー装置は、請求項１０から１７のいずれか一項に記載の装置であり、
上記顧客構内装置は、請求項２０から２６のいずれか一項に記載の装置であり、
上記プロバイダー装置および上記顧客構内装置は、少なくとも一つの通信チャンネルを経由して通信するシステム。
【請求項２８】
上記プロバイダー装置は配布ポイント内に備えられ、上記通信チャンネルは銅線から成る請求項２７に記載のシステム。
【発明の詳細な説明】
【発明の詳細な説明】
【０００１】
本出願は、例えばベクトル化されたシステムに使用可能な特殊操作チャンネルに関する。
【０００２】
〔背景〕
将来のＧ．ｆａｓｔに至るまでの、例えばＡＤＳＬ、ＡＤＳＬ２、（Ｓ）ＨＤＳＬ、ＶＤＳＬおよびＶＤＳＬ２を含む、デジタル加入者回線（ＤＳＬ）技術は、その歴史全体に亘って、より良いブロードバンドサービスを顧客に供給することを目的として、ビットレートを増加させることを試みてきた。残念なことに、中央局（ＣＯ）から顧客構内装置（ＣＰＥ）へと配設される銅線のループはかなり長いため、数Ｍｂ／ｓよりも高いビットレートによってデータを伝送することができなかった。それゆえ、顧客が利用可能なビットレートを増加させるために、現代のアクセスネットワークは、ストリートキャビネット、ＭＤＵ−キャビネット、および、類似する構成を使用する。当該構成は、配布ポイント（ＤＰ）とも称される。キャビネットまたは他のＤＰは、高速ファイバー通信回線によって、ＣＯに接続され、顧客構内装置の近くに設置されている。高速ファイバー通信回線の例としては、ギガビットパッシブ光ネットワーク（ＧＰＯＮ）が挙げられる。これらのキャビネットから、例えばＶＥＲＹ−Ｈｉｇｈ−Ｂｉｔ−Ｒａｔｅ  ＤＳＬ（ＶＤＳＬ）等の高速ＤＳＬシステムが、ＣＰＥへの通信を提供する。現在、配設されているＶＤＳＬシステム（ＩＴＵ−Ｔ  Ｒｅｃｏｍｍｅｎｄａｔｉｏｎ  Ｇ．９９３．２）は、約１ｋｍの範囲を有しており、数十Ｍｂ／ｓというビットレートを提供する。キャビネットから配設されたＶＤＳＬシステムのビットレートを増加させるために、最近のＩＴＵ−Ｔ  Ｒｅｃｏｍｍｅｎｄａｔｉｏｎ  Ｇ．９９３．５は、アップストリームおよびダウンストリームのビットレートを最大１００Ｍｂ／sまで増加させることを可能とするベクトル化された伝送を規定した。ベクタリングはまた、将来のＧ．ｆａｓｔにおいても使用される予定である。
【０００３】
ＤＳＬシステムの重要な要素または段階の１つは、初期化（またはトレーニング）である。初期化の間、ベクトル化されたグループに接続する回線は、既存のアクティブ回線に、新しい回線からのクロストークに対処するための能力を提供し、接続する回線に、アクティブ回線からのクロストークに対処するための能力を提供し、最終的には、接続する回線に、適切なＰＳＤ、チャンネル設定およびビットローディングを提供する。
【０００４】
本出願は、例として、短波および超短波を使用する、ベクトル化された回線の初期化における問題に対処している。
【０００５】
初期化を行うために使用される従来の要素の１つは、特殊操作チャンネル（ＳＯＣ）である。ＳＯＣは、初期化の間、ＤＰのモデムとＣＰＥのモデムとの間に確立される。これにより、初期化の処理をサポートするために必要なメッセージをモデム間で通信し、トランシーバーのトレーニングを行うための特殊なトレーニング信号およびシーケンスを伝送することができる。ＳＯＣは通常、非常にロバスト性が高い方法で確立され、そして、初期化の間のみ作用する。現在のＤＳＬにおいて使用されているＳＯＣの例は、例えばＩＴＵ−Ｔ  Ｒｅｃｏｍｍｅｎｄａｔｉｏｎ  Ｇ．９９３．２、Ｇ．９９３．５において説明されている。
【０００６】
ベクトル化された回線での重大な問題の１つは、特に超短波（例えば１００ＭＨｚ以上）が使用された場合における、大きいクロストークである。初期化およびトレーニングの間、回線間のＦＥＸＴ（遠端クロストーク）が消去されない場合、回線を通じて伝送される信号は、他の全ての回線において“可視的”である。それによる問題の１つは、１つの回線を通じて伝送された初期化およびトレーニングの信号、ならびにメッセージが、別の回線において受信されることである。こうして、不正確な、または誤った（またはゴーストの）トレーニングさえ発生することとなる。これにより、トレーニングの時間が増加し、またはベクトル化されたグループにおいて動作しており、顧客のために動作しているアクティブ回線に損害を与える場合さえ引き起こし得る。Ｇ．ｆａｓｔ等の、最先端の新世代のＤＳＬ技術において、隣接回線からのＦＥＸＴが、直接的な信号よりも強度が高い場合があり得る。このことは、初期化および交線間のトレーニングにおけるゴーストを、ある程度の可能性のみならず、かなり高い可能性によって発生させ得る。
。典型的な問題の１つは、近接的なＳＯＣ信号がダイレクトチャンネルの推定プロセス（特にＦＥＱのトレーニング、および、大きいクロストークが存在する状態において動作することが要求される複数の他の処理）を阻害することである。
【０００７】
〔図面の簡単な説明〕
図１は、一実施形態に係る通信システムを示すブロック図である。
【０００８】
図２は、一実施形態に係る方法を示すフローチャートである。
【０００９】
図３は、他の実施形態に係る方法を示す図である。
【００１０】
〔詳細な説明〕
以下、添付の図面を参照して、実施形態を詳細に説明する。なお、これらの実施形態は単に説明に有用な実例としての役割のみを果しており、限定的なものとして解釈されるべきではないことに留意されたい。例えば、実施形態は、多くの細部、構成または部材を有するものとして説明されてよい。その一方、他の実施形態において、これらの細部、構成または部材のいくつかは、省略されてもよいし、および／または、代替的な構成または部材によって置換されてよい。他の実施形態において、明示的に説明されたものから逸脱した、さらなる付加的または代替的な構成、細部または部材が、提供されてよい。
【００１１】
以下に説明されている通信接続は、接続の一般的な機能（例えば、所定の種類の信号を伝送するための機能）が保持されている限りは、直接的な接続または間接的な接続（すなわち、付加的な介在要素を有する接続または有しない接続）のどちらでもよい。接続は、特に記載がない限り、無線接続または有線接続のどちらでもよい。
【００１２】
いくつかの実施形態は、トレーニング／初期化の間に使用されるメッセージおよび特殊な信号の伝達方法を提供している。この方法により、誤った初期化を避け、トレーニングの精度を向上させている。
【００１３】
いくつかの実施形態は、ＳＯＣによって通信する方法を含む。当該方法は、あらゆるＣＰＥに対し、自身のＳＯＣ信号を、回線を通じて伝送される他のＳＯＣ信号から識別する機会を与える。他のＳＯＣ信号は、例えば同一のバインダー内の回線を通じて伝送され、クロストーク（特に、ＦＥＸＴ）として侵入する。一実施形態において、上記方法は、受信機によって識別され得る、直交シーケンス、および低相関のスクランブル多項式を使用することをベースにしている。また、いくつかの実施形態では、他の回線からの非常に大きいクロストークが存在する場合において、ＳＮＲ、およびＦＥＱ係数を含む他のパラメータのより正確な測定を受信機に行わせることを可能とする技術が提供される。
【００１４】
図の説明に移る。図１では、一実施形態に係る通信システムが示されている。図１のシステムは、複数のＣＰＥユニット１４から１６と通信するプロバイダー装置１０を含む。図１では３つのＣＰＥユニット１４〜１６が示されているが、これは、単に例としての役割を果たしており、任意の数のＣＰＥユニットが提供されてよい。プロバイダー装置１０は、中央局の装置、配布ポイント（ＤＰ）内の装置、または、プロバイダー側において使用される任意の他の装置であってよい。プロバイダー装置１０が配布ポイントの一部である場合、プロバイダー装置１０は、例えば、光ファイバー通信１１０を介してネットワークからデータを受信、およびネットワークへデータを送信してよい。他の実施形態では、他の種類の接続が使用されてもよい。
【００１５】
図１の実施形態では、プロバイダー装置１０は、それぞれの通信接続１７〜１９を介してＣＰＥユニット１４〜１６と通信するための、複数のトランシーバー１１〜１３を含んでいる。一例として、通信接続１７〜１９は、例えば銅の回線のツイストペア等の銅の回線であってよい。通信接続１７〜１９を介した通信は、離散マルチトーン変調（ＤＭＴ）、および／または直交周波数分割多重方式（ＯＦＤＭ）等の多重キャリア変調に基づいた通信であってよい。例えばＡＤＳＬ、ＶＤＳＬ、ＶＤＳＬ２、Ｇ．ｆａｓｔ等のｘＤＳＬ通信（すなわち、データが複数のキャリアにおいて変調される通信）は、トーンにも言及している。いくつかの実施形態において、通信システムは、図１のブロック１１１に示されているように、ベクタリングを使用してもよい。ベクタリングは、クロストークを低減するために、送信および／または受信される信号の接続処理を含む。
【００１６】
プロバイダー装置１０からＣＰＥユニット１４〜１６への通信方向は、ダウンストリーム方向とも称され、また、ＣＰＥユニット１４〜１６からの通信方向はアップストリーム方向とも称される。ダウンストリーム方向におけるベクタリングは、クロストーク事前補償とも称され、一方、アップストリーム方向におけるベクタリングは、クロストーク消去または均等化とも称される。
【００１７】
プロバイダー装置１０および／またはＣＰＥユニット１４〜１６は、通信システムにおいて従来から利用されていた、さらなる通信回路（不図示）を含んでいてもよい。通信回路の例としては、変調、ビットローディングおよびフーリエ変換等のための回路が挙げられる。
【００１８】
いくつかの実施形態では、通信接続１７〜１９を介した通信は、フレームに基づく通信である。多数のフレームがスーパーフレームを形成してもよい。
【００１９】
いくつかの実施形態では、通信接続１７〜１９において、特殊操作チャンネル（ＳＯＣ）が確立されていてもよい。なお、いくつかの実施形態において、通信接続１７〜１９は、銅線から成っていてよい。各ＳＯＣは、例えば識別多項式等の識別子を割り当てられていてもよい。これにより、強いクロストークの場合でも、受信機（図１の例に挙げられている、プロバイダー装置１０またはＣＰＥユニット１４〜１６のいずれか）は、識別子に基づいて関係づけられた特殊操作チャンネルを認識し、かつ、他の回線からクロストークによって受信し得る、特殊操作チャンネルからのメッセージを無視してもよい。また、他の技術が用いられてもよい。
【００２０】
いくつかの実施形態は、例えば、ＶＤＳＬ２等の周波数分割複信、または現在のＤＰのベクトル化されたトランシーバーにおいて使用されているＧ．ｆａｓｔ等の同期時分割複信（ＳＴＤＤ）の、いずれかを利用するシステムと関係している。ＳＴＤＤの場合、各回線は、アップストリームおよびダウンストリームの伝送時間スロット（ＵＳおよびＤＳに対するＴＴＳ）に対して、割り当てられた時間配分を有している。伝送時間スロットは、ガード時間により分離されている。更に、全てのベクトル化された回線のダウンストリームＴＴＳ、および、全ての回線のアップストリームＴＴＳは、整列されている。アップストリーム伝送とダウンストリーム伝送との間に設けられたガード時間が存在している。
【００２１】
図２および図３に、実施形態に係る方法を説明するフローチャートが示されている。図２および図３の方法は、一連の動作またはイベントとして記載されているが、上記動作またはイベントが記載されている順番は、限定的に解釈されるべきではない。代替的に、他の実施形態中において、上記動作またはイベントは、異なる順番で実行されてもよく、および／または、上記動作またはイベントのうちのいくつかが、例えばシステム内の異なる装置または回路の異なる部分によって並列的に実行されてもよい。
【００２２】
ベクトル化されたグループの初期化の間、図２の２０において、図２の方法は、初期化される各回線の上記トランシーバーがベクトル化されたグループに接続した時、初期化される各回線の上記トランシーバー間において、特殊操作チャンネル（ＳＯＣ）を確立することを含んでいる。この態様において、ベクトル化されたグループとは、すなわち、自身のクロストークを低減させるために、ベクタリングに参加する全回線または通信接続を指す。例として、システムにおいて、新しい回線がアクティブになる時、この回線は、ベクトル化されたグループに接続する必要がある場合が多く、かつ接続回線と称される。システムの起動時においても、ベクトル化されたグループの構築が、ベクトル化されたグループの一部への回線への初期的な接続として理解されてよい。追加の回線が接続される時、すなわち接続回線が存在する時、ベクトル化されたグループ内にすでに存在する回線は、アクティブ回線と称されてもよい。初期化の処理は、複数のステージを含んでよい。初期化の最初のステージは、例えば、図２の２２において、（アクティブ回線を通過しているサービスの歪みを避けるために）接続回線からアクティブ回線へのクロストークの消去および／または事前補償を提供する。しかしながら、アクティブ回線から接続回線へのクロストークは、より後のステージ、例えば図２の２３において、消去または事前補償される。なぜなら、クロストーク消去の実行には、上記の消去または事前補償が実行可能になる（プレコーダまたは削除係数が計算可能となる）前に、各接続回線に接続されているトランシーバー間において、関連するパラメータ（例えば、エラーサンプル）の集中的な交換が必要であるからである。この交換および初期化の初期ステージの間に、接続回線間のクロストークは消去または事前補償によって低減されない。従って、このクロストークは、対となるトランシーバー間でのデータおよびトレーニング信号の交換に影響を与える。上記のデータおよびトレーニング信号は、必ずしも全てではないものの、主に、ＳＯＣを通じて通信される。
【００２３】
従来のシステムでは、以下の二つの問題が観察され得る。
【００２４】
‐１つの接続回線においてＳＯＣを通じて通信された制御メッセージが、他の接続回線によって受信される。これにより、誤った設定が生じてしまう。
【００２５】
‐１つの接続回線を通じて伝送されたトレーニング信号が、他の接続回線におけるトレーニング信号に干渉し、または抑制さえする可能性がある。これにより、誤ったＦＥＱトレーニングの結果、誤った計測または不完全なトレーニングが生じてしまう。
【００２６】
これらの問題は、超短波（２００ＭＨｚまで）で動作するＧ．ｆａｓｔ等のシステムに特に有害である。上記の周波数において、ＦＥＸＴの電力は、しばしば受信信号の電力を超える。
【００２７】
有害なクロストークの影響を避けるために、実施形態は、例えば、図２の２１において、識別多項式（ＩＤＰ）等の識別子をＤＰまたは他のプロバイダー装置の各回線に割り当てることを含んでいる。例として、各回線において、ＳＯＣが確立されていてもよく、回線に対して識別多項式または他の識別子を割り当てることは、ＳＯＣに識別子を割り換えることと理解されてもよい。さらに、実施形態において、回線を通じて伝送されるＳＯＣ信号は、制御または管理データメッセージによって変調される前に、ＩＤＰに掛け合わされるか、または、いくつかの他の有益なおよび関連する方法によってＩＤＰと併合される。ＩＤＰの特性は、特定の回線の受信機が、自身のＳＯＣ信号を隣接する信号と区別できるように指定される。実施形態において、このことが、上述した問題を一般的に解決する。例えば、実施形態において、異なる回線の識別多項式が互いに直交していてよく、これにより、実施形態において、明確な識別が可能になる。
【００２８】
一実施形態において、ＳＯＣは、多重キャリア変調を利用し実現される。そして、全てのサブキャリアは、１ビット以上の伝送されたメッセージにより変調される、または、特定のトレーニングシーケンスにより変調される。実施形態では、ＱＰＳＫ変調および多重キャリアに対する反復が、ロバスト性の向上のために使用されてよい。このような一実施形態において、各サブキャリアの一群を循環させるために、ＩＤＰが使用される。多項式の長さは、時間ダイバーシティを実現することを目的として、例えばフレームまたはスーパーフレーム等の、十分に長い符号のシーケンスをカバーするように選択され、実現例のうちの１つは、同一の生成多項式を使用してもよい。一方で、多項式のシードは、各回線のＩＤを示している。したがって、選択されたシードを用いて、異なる回線内のＳＯＣ信号間の相関関係が最小化されてよい。他の実現例は、異なるＳＯＣチャンネル間、または直交多項式間に低い相関関係を与えるように、慎重に選択された特性を備える異なる多項式を利用してもよい。直交多項式は、例えば、ウォルシュ‐アダマールシーケンス等である。
【００２９】
いくつかの実施形態において、ダウンストリーム方向において、ＣＰＥは、プロバイダー装置から受信した既知のトレーニング信号を基に、ＣＰＥの周波数イコライザ（ＦＥＱ）をトレーニングする。従来の試みでは、上記トレーニング信号は、予め規定されていた。しかし、クロストーク消去を使用するシステムにおいては、そのようなトレーニングは、通常不可能であった。
【００３０】
実際に、多重回線はしばしば同時にトレーニングされ、それゆえに、同一時間においてトレーニング信号を伝送する。従来の試みでは、強いクロストークを有するチャンネルにおいて、このことは、周波数イコライザのトレーニングを誤らせてしまう可能性がある。これは、イコライザが、ダイレクトチャンネルではなく、ダイレクトチャンネルと他の接続回線からのクロストークとの合計によりトレーニングされるためである。クロストーク信号および直接的な信号が、同一である、または強い相関関係を有している場合に、上記問題は生じる。
【００３１】
一実施形態において、周波数イコライザは、ＳＯＣチャンネルデータを使用する初期化の間に連続的にアップデートされる適応フィルターとして実装される。複数の接続回線のトレーニングの間、全てのトレーニングされた回線は、長時間に亘って、同一の信号（いくつかの従来の試みにおいてＩＤＬＥ信号と呼ばれている）を伝送する。このことは、周波数イコライザがダイレクトチャンネルからの信号と他の回線からのクロストークのチャンネルとを区別できないという問題を引き起こす。
【００３２】
ダイレクトチャンネルからの信号と、他の接続回線からのクロストークとを区別するために、接続回線は、長期間に亘り、相関関係のない信号または直交する信号のいずれかを送信することが要求される。
【００３３】
図３に示されている一実施形態によると、３０において、ＳＯＣチャンネルは、トレーニング符号と同様に、例えばウォルシュ‐アダマールシーケンスまたは三状態シーケンス等の双極性の直交シーケンスにより変調される。三状態シーケンスとは、ＣＯおよびＣＰＥ間で予め成分＋１、０、−１が交換されるものである。異なるシーケンスは、トレーニング信号が相互に直交となるように、それぞれの接続回線に割り当てられる。各時刻において、異なる接続回線における伝送データは、直交シーケンスの異なる成分により変調される。時間単位は、例えば、ＤＭＴ符号または符号のグループであってよい。
【００３４】
いくつかの実施形態において、シーケンスは異なるサブキャリアに対して異なるものである。しかし、上記シーケンスは、同じサブキャリアによって搬送される他の回線のシーケンスに対して、互いに直交することが求められる。実現例は、サブキャリアの複数のグループを、全ての接続回線において同一であるように割り当ててよい。同じ回線の各グループにおいて、同一または異なるシーケンスが適用されてよい。一方で、異なる回線の同一グループに適用されるシーケンスは、直交している。１つの符号に亘り、または連続する符号のグループに亘り、または、いくつかの他の所定の規則によって選択された符号のグループに対して、シーケンスの特定のビットが適用されてよい。各回線に使用されるサブキャリアおよび特定のシーケンスのグループ化は、製造者または設置者によって、初期化の早期の段階に割り当てられる。
【００３５】
別の実施形態では、３０において、トレーニング符号と同様、ＳＯＣチャンネルは、各回線に対して異なるように選択される疑似ランダム２値シーケンスにより変調される。異なる識別多項式が、各回線に割り当てられる。回線上の各サブキャリアは、疑似ランダムシーケンスの異なる成分により変調される。そして、シーケンスは、接続回線が長時間および広範囲の周波数に亘り相関関係を有しないように、長時間に亘り、後続する符号の関連するサブキャリアを超えて継続する。いくつかの実施形態によると、疑似ランダムシーケンスによる変調は、スーパーフレームの開始時に再開される。したがって、時間範囲を制限する。この時間範囲は、ＦＥＱの収束が想定される最悪の条件である場合に十分であるように選択される。
【００３６】
別の実施形態では、３０において、各ＳＯＣ符号の全ての一群のポイントは、同一のスクランブル多項式によって循環させられる。全ての一群のポイントは、符号の開始時にリセットされる（先行技術と同様）。しかし、さらに、全ての一群のポイントは、ビットまたは直交（疑似直交）シーケンスに掛け合わせられる。当該ビットまたはシーケンスは、−１、＋１または０であってよい。各接続回線は、自身のシーケンスを使用する。いくつかの実現例では、回線毎に１つ以上のシーケンスが規定されている。そして、各回線におけるトーンの同一のグループは、直交シーケンスの特定のセットと関連付けられる。直交シーケンスのセットおよびトーンのグループは、製造者または設置者によって、初期化の早期の段階に割り当てられる。
【００３７】
別の実施形態では、３０において、各ＳＯＣ符号の全ての一群のポイントは、同一のスクランブル多項式によって循環させられる（先行技術と同様）。しかし、スクランブル多項式は、各符号ではなく各スーパーフレームにおいてリセットされる。スクランブル多項式は、異なる回線間に低い相関関係を与えるように選択された特定のシードから開始する。
【００３８】
いくつかの実施形態によると、３１において、上述のように変調されたＳＯＣチャンネルおよびトレーニング符号は、周波数イコライザのトレーニングに利用される。３０における変調の間、受信機、例えばＣＰＥ装置は、ダイレクトチャンネルのトレーニングシーケンスを認識し、いくつかの実施形態において、それらを他の回線からクロストークによって受信されたトレーニングシーケンスと区別する。
【００３９】
いくつかの実施形態は、固有の生成多項式、および、これらの生成多項式を適用する、ＳＯＣ信号の送信および受信に関連付けられたプロトコルを導入する。方法のいくつかの実施形態は、新しいＧ．ｆａｓｔの基準の一部として組み入れられてもよい。いくつかのケースにおいて、隠れたノードをサポートする装置は、上記基準に準拠したプロトコルを使用する。
【００４０】
いくつかの実施形態において、ＤＰのモデムの各回線に識別多項式（ＩＤＰ）を割り当て、回線を通じてＳＯＣ信号の伝送を行う方法または装置が提供されてもよい。ＳＯＣ信号の送信は、制御または管理データメッセージが識別多項式と掛け合わされるか、または識別多項式と併合されることで多重化され、これらによりＳＯＣが変調される前に行われる。
【００４１】
上記実施形態は、単に例示としての役割を果たすものであって、限定的なものと解釈されるべきではない。上記方法は、ハードウェア、ソフトウェア、ファームウェア、またはそれらを組み合わせて利用する装置、例えば図１に示された装置およびシステムにおいて実行されてもよい。例えば、本明細書に開示されている方法を実行するために、例えば、従来の装置のファームウェアが、本明細書に開示されている技術を使用することができるようにアップデートされてもよい。
【図面の簡単な説明】
【００４２】
【図１】一実施形態に係る通信システムを示すブロック図である。
【図２】一実施形態に係る方法を示すフローチャートである。
【図３】他の実施形態に係る方法を示す図である。
【図１】
2016523057.tif 000003
【図２】
2016523057.tif 000004
【図３】
2016523057.tif 000005
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
プロバイダー装置に関連付けられた各回線へ識別子を割り当てることと、
上記識別子によって変更される特殊操作チャンネル（ＳＯＣ）信号を少なくとも一つの上記回線を通じて伝送することとを含む方法。
【請求項２】
上記識別子は識別多項式を含む請求項１に記載の方法。
【請求項３】
上記変更は、上記ＳＯＣ信号と上記識別多項式とを掛け合わせること、および、上記ＳＯＣと上記識別多項式とを併合することの少なくとも一方を含む請求項２に記載の方法。
【請求項４】
上記変更は、制御または管理データメッセージにより上記ＳＯＣ信号を変調する前に実行される請求項１に記載の方法。
【請求項５】
上記識別子はウォルシュ‐アダマールシーケンスに基づく請求項１に記載の方法。
【請求項６】
上記識別子は三状態シーケンスに基づく請求項１に記載の方法。
【請求項７】
受信機において、上記識別子に基づいて、ダイレクトチャンネルを経由して受信したＳＯＣ信号と、クロストークで受信したＳＯＣ信号とを区別することをさらに含む請求項１に記載の方法。
【請求項８】
上記ダイレクトチャンネルを経由して受信した上記ＳＯＣ信号に基づいてベクトルトレーニングを行うことをさらに含む請求項７に記載の方法。
【請求項９】
上記ダイレクトチャンネルを経由して受信した上記ＳＯＣ信号に基づいて周波数イコライザトレーニングを行うことをさらに含む請求項７に記載の方法。
【請求項１０】
直交シーケンスでトレーニング符号を変調することをさらに含み、
上記トレーニング符号に基づいてトレーニングを実行する請求項１に記載の方法。
【請求項１１】
プロバイダー装置に関連付けられた回線の各々に割り当てられた識別子によって変更される特殊操作チャンネル（ＳＯＣ）信号を、上記回線の少なくとも一つを通じて送信する伝送装置を含む装置。
【請求項１２】
上記識別子は識別多項式である請求項１１に記載の装置。
【請求項１３】
上記伝送装置は、上記変更のために、上記ＳＯＣ信号と上記識別多項式とを掛け合わせること、および、上記ＳＯＣと上記識別多項式とを併合することの少なくとも一方を実行する請求項１１に記載の装置。
【請求項１４】
上記伝送装置は、制御または管理データメッセージによって上記ＳＯＣを変調する前に上記変更を行うように適応されている請求項１１に記載の装置。
【請求項１５】
上記識別子はウォルシュ‐アダマールシーケンスに基づく請求項１１に記載の装置。
【請求項１６】
上記識別子は三状態シーケンスに基づく請求項１１に記載の装置。
【請求項１７】
さらに、直交シーケンスでトレーニング符号を変調する請求項１１に記載の装置。
【請求項１８】
プロバイダー装置に関連付けられた回線の各々に割り当てられた識別子によって変更される特殊操作チャンネル（ＳＯＣ）信号を、上記回線の少なくとも一つを通じて送信する伝送装置を含む装置と、
上記識別子に基づいて、ダイレクトチャンネルを経由して受信したＳＯＣ信号と、クロストークで受信したＳＯＣ信号とを区別する受信機を含むさらなる装置とを含むシステム。
【請求項１９】
さらに、上記ダイレクトチャンネルを経由して受信した上記ＳＯＣ信号に基づいて、ベクトルトレーニングを行う請求項１８に記載のシステム。
【請求項２０】
さらに、上記ダイレクトチャンネルを経由して受信された上記ＳＯＣ信号に基づいて、周波数イコライザトレーニングを行う請求項１８に記載のシステム。
【請求項２１】
受信機を含む装置であって、
上記受信機は、プロバイダー装置に関連付けられた回線の各々に割り当てられた識別子によって変更される特殊操作チャンネル（ＳＯＣ）信号を、上記回線の少なくとも一つを通じて受信し、
上記識別子に基づいて、ダイレクトチャンネルを経由して受信したＳＯＣ信号と、クロストークで受信したＳＯＣ符号とを区別するように適応されている装置。
【請求項２２】
上記識別子は識別多項式である請求項２１に記載の装置。
【請求項２３】
上記識別子はウォルシュ‐アダマールシーケンスに基づく請求項２１に記載の装置。
【請求項２４】
上記識別子は三状態シーケンスに基づく請求項２１に記載の装置。
【請求項２５】
さらに、上記ダイレクトチャンネルを経由して受信した上記ＳＯＣ信号に基づいてベクトルトレーニングを行う請求項２１に記載の装置。
【請求項２６】
上記ダイレクトチャンネルを経由して受信した上記ＳＯＣ信号に基づいて周波数イコライザトレーニングを行う請求項２１に記載の装置。
【請求項２７】
プロバイダー装置および少なくとも一つの顧客構内装置を含むシステムであって、
上記プロバイダー装置は、プロバイダー装置に関連付けられた回線の各々に割り当てられた識別子によって変更される特殊操作チャンネル（ＳＯＣ）信号を上記回線の少なくとも一つを通じて送信する伝送装置を備え、
上記顧客構内装置は、プロバイダー装置に関連付けられた回線の各々に割り当てられた識別子によって変更される特殊操作チャンネル（ＳＯＣ）信号を上記回線の少なくとも一つを通じて受信する受信機を備え、
上記装置は、上記識別子に基づいて、ダイレクトチャンネルを経由して受信したＳＯＣ信号と、クロストークで受信したＳＯＣ符号とを区別するものであり、
上記プロバイダー装置および上記顧客構内装置は、少なくとも一つの通信チャンネルを経由して通信するシステム。
【請求項２８】
上記プロバイダー装置は配布ポイント内に備えられ、上記通信チャンネルは銅線から成る請求項２７に記載のシステム。
【国際調査報告】
2016523057.tif 000006
2016523057.tif 000007
2016523057.tif 000008